(57)【要約】    【課題】  収納されたバッテリーを保持しているバッテリー内部ロック部材の戻り等の変形を確実に防止することができ、もってバッテリーカバーの破損を防止することができる電子機器を提供することにある。    【解決手段】  ハンディターミナルのハンディターミナル本体１は、バッテリーパックを着脱自在に収容するバッテリー収容部１２、バッテリーパックを保護するためのバッテリーカバー４、及びバッテリーカバー４の開閉時にバッテリーカバー４を解錠又は施錠するために回動操作される操作ノブ５を有する。バッテリー収納部１２には、バッテリーパック１３を収納した時にバッテリーパック１３を保持するためのバッテリー内部ロック部材２３が設けられ、バッテリー内部ロック部材２３の先端部２５には、係合部２６が設けられている。バッテリーカバー４を矢印３１ａ方向に回動して閉じ、さらに、操作ノブ５を反時計回りに回転すると、操作ノブ５と連動しているフック状のロック爪２０も同時に矢印３３方向に回転して、バッテリー内部ロック２３の係合部２６と係合する。【選択図】    図８
2005174558.tif 000002
【特許請求の範囲】
【請求項１】
バッテリーを着脱自在に収納するバッテリー収納部と、当該バッテリー収納部の開口部を開閉するバッテリーカバーと、当該バッテリーカバーを施錠する施錠部材と、前記バッテリー収納部内に設けられ、前記収納されたバッテリーを前記バッテリー収納部内に保持するバッテリー内部ロック部材とを備え、
前記バッテリー内部ロック部材は、前記施錠部材と係合自在な係合部を備え、前記施錠部材は、前記施錠部材が施錠されたときに前記バッテリー内部ロック部材を係止すべく前記係合部に係合するように構成されていることを特徴とする電子機器。
【請求項２】
前記係合部は、前記施錠部材が嵌合するようなスリットから成り、前記施錠部材は、前記バッテリーカバーに回動自在に取付けられたノブ部と、前記スリット部に嵌合する爪部とから成ることを特徴とする請求項１記載の電子機器。
【請求項３】
前記バッテリーカバーが閉じたときに前記バッテリーカバーと前記バッテリー収納部との間に挟持圧接されて前記バッテリー収納部内を密閉する弾性の封止部材を備えることを特徴とする請求項１又は２記載の電子機器。
【発明の詳細な説明】
【技術分野】
【０００１】
本発明は、電子機器、特に着脱可能なバッテリーを電源として用いる電子機器に関する。
【背景技術】
【０００２】
従来より、ハンディターミナル、デジタルカメラ、デジタルビデオカメラ、ノート型パーソナルコンピュータ、ＰＤＡ、その他の携帯型電子機器は、電源として乾電池や充電電池等のバッテリーを用いるものが多く、バッテリーパックが着脱可能に保持できるものがほとんどである。
【０００３】
このような機器におけるバッテリーパックの保持の構造には、バッテリーパックを電子機器のバッテリー収納部へ収納した後、ヒンジにより回動可能に保持されているバッテリーカバーで直接バッテリーパックを押さえ込み、さらに、バッテリーカバーに具備されたロック部材を電子機器本体へロックすることでバッテリーを保持するようにしたものがある。
【０００４】
また、電子機器のバッテリー収納部にバッテリー内部ロック部材を具備し、この内部ロック部材でバッテリーパックを保持した後、回動可能なバッテリーカバーで蓋をし、バッテリーカバーに具備されたロック部材を電子機器本体へロックすることにより保持するようにした構造も知られている。又は、さらに、特許第３０８８３４９号のものでは、バッテリーカバーにバッテリー内部ロック部材の固定用リブを設けてバッテリー内部ロック部材の戻りを押えている（例えば、特許文献１参照）。
【０００５】
このようなバッテリーカバーに具備されたロック部材のロック機構として、フック部を有する開閉つまみを用いてロック部材を回動又はスライドして電子機器本体へその内側又は外側でロックするもの等が知られている。
【０００６】
また、防滴型の電子機器では、そのバッテリーカバーにパッキンを取り付け、カバーの閉鎖状態において、カバーがバッテリーを押える方向にパッキンを押圧させて変形することにより水の浸入を防ぐものや、さらに防滴性能を強化するために、パッキンが電子機器本体とカバーに狭持圧接されるようにして、パッキンを押さえつける方向をカバーがバッテリーを押さえつける方向と直交する方向となるようにしたシール構造が知られている。
【特許文献１】特許第３０８８３４９号明細書
【発明の開示】
【発明が解決しようとする課題】
【０００７】
しかしながら、上述したような従来の構成では以下のような問題があった。
【０００８】
すなわち、バッテリーカバーで直接バッテリーを押え込む構造の場合は、電子機器を落としたとき等に、落下時の衝撃でバッテリーからバッテリーカバーに加えられる負荷により、バッテリーカバーが破損する等の問題があった。
【０００９】
また、電子機器のバッテリー収納部にバッテリー内部ロック部材を具備する構造は、主として上記のようなバッテリーカバーの破損を防止するためのものであるが、上述のごとく、電子機器のバッテリー収納部にバッテリーの内部ロック部材を設け、さらに、バッテリーカバーで蓋をしてバッテリーを保持する構造の場合には、バッテリーがバッテリー内部ロック部材で完全に保持されていない状態でバッテリーカバーを閉めたとき、バッテリーにバッテリー内部ロック部材が引っかからないまま、バッテリーカバーが閉まってしまい、そのまま放置することでバッテリー内部ロック部材が変形したり、また落下時の衝撃等でも同様にロック部材の変形が生じてバッテリー内部ロック部材が機能しなくなるといった問題があった。
【００１０】
さらに、特許第３０８８３４９号のものでは、バッテリー内部ロック部材固定のための配置スペースを特別にバッテリーカバーに確保しなければならず、しかも、バッテリー内部ロック部材を押さえているだけなので確実にバッテリー内部ロック部材の戻り等の変形を抑止しているとは言い難い。
【００１１】
また、フック部を有する開閉つまみを用いてロック機構を電子機器本体の外側でロックする構造は、開閉つまみの分だけバッテリー収容部が大きくなってカバン等から電子機器を取り出す際に開閉つまみがぶつかり、ロックが解除されバッテリーカバーが開いてしまうといった問題があった。
【００１２】
本発明の目的は、収納されたバッテリーを保持しているバッテリー内部ロック部材の戻り等の変形を確実に防止することができ、もってバッテリーカバーの破損を防止することができる電子機器を提供することにある。
【課題を解決するための手段】
【００１３】
上記の目的を達成するために、請求項１記載の電子機器は、バッテリーを着脱自在に収納するバッテリー収納部と、当該バッテリー収納部の開口部を開閉するバッテリーカバーと、当該バッテリーカバーを施錠する施錠部材と、前記バッテリー収納部内に設けられ、前記収納されたバッテリーを前記バッテリー収納部内に保持するバッテリー内部ロック部材とを備え、前記バッテリー内部ロック部材は、前記施錠部材と係合自在な係合部を備え、前記施錠部材は、前記施錠部材が施錠されたときに前記バッテリー内部ロック部材を係止すべく前記係合部に係合するように構成されていることを特徴とする。
【００１４】
請求項２記載の電子機器は、請求項１記載の電子機器において、前記係合部は、前記施錠部材が嵌合するようなスリットから成り、前記施錠部材は、前記バッテリーカバーに回動自在に取付けられたノブ部と、前記スリット部に嵌合する爪部とから成ることを特徴とする。
【００１５】
請求項３記載の電子機器は、請求項１又は２記載の電子機器において、前記バッテリーカバーが閉じたときに前記バッテリーカバーと前記バッテリー収納部との間に挟持圧接されて前記バッテリー収納部内を密閉する弾性の封止部材を備えることを特徴とする
【発明の効果】
【００１６】
請求項１記載の電子機器によれば、バッテリー内部ロック部材が、施錠部材と係合自在な係合部を備え、施錠部材は、施錠部材が施錠されたときにバッテリー内部ロック部材を係止すべく係合部に係合するように構成されているので、収納されたバッテリーを保持しているバッテリー内部ロック部材の戻り等の変形を防止することができ、もってバッテリーカバーの破損を防止することができる。
【００１７】
請求項２記載の電子機器によれば、係合部が、施錠部材が嵌合するようなスリットから成り、施錠部材の爪部が、バッテリー内部ロック部のスリットに嵌合するので、収納されたバッテリーを保持しているバッテリー内部ロック部材の戻り等の変形を防止することができる。
【００１８】
請求項３記載の電子機器によれば、バッテリーカバーが閉じたときに、弾性の封止部材がバッテリーカバーとバッテリー収納部との間に挟持圧接されることにより、バッテリー収納部内を密閉することができる。
【発明を実施するための最良の形態】
【００１９】
以下、本発明の実施の形態を添付図面を参照して説明する。
【００２０】
本実施の形態では、バッテリーパックを収容する電子機器の一例としてハンディターミナルを例示する。
【００２１】
図１は、本発明の実施の形態に係る電子機器の外観を示す斜視図である。
【００２２】
図１において、本発明の実施の形態に係る電子機器としてのハンディターミナルは、ハンディターミナル本体１を有する。ハンディターミナル本体１は、図示しないバッテリーパックを着脱自在に収容するバッテリー収容部（図２）を有すると共に、プリンタを内蔵している。このハンディターミナル本体１は、表示手段としての液晶ディスプレイ２、入力手段としてのキーボード３、バッテリーパックを保護するためのバッテリーカバー４、バッテリーカバー４の開閉時にバッテリーカバー４を解錠又は施錠するために回動操作される操作ノブ５、電源ＯＮスイッチ６、電源ＯＦＦスイッチ７、周辺機器や他の機器と接続するためのインターフェースコネクタ８、ＣＦカードスロットカバー９、及び内蔵されたプリンタのプリンタカバー１０を有する。
【００２３】
バッテリー収納部の構造以外は、公知のハンディターミナルと同様であり、本発明とは関連が薄いので、以下では詳細な説明は省略する。
【００２４】
ハンディターミナル本体１又は後述する各部材はプラスチック等の材質から形成される。ただし、各部材の材質は本発明を構成するものではなく、任意のものを用いて良いのは言うまでもない。
【００２５】
次に、上記バッテリー収納部の構造を図２を参照して詳述する。
【００２６】
図２は、図１におけるバッテリー収容部の部分断面図であり、バッテリーカバーが開いた場合を示す。
【００２７】
図２において、ハンディターミナル本体１のバッテリー収納部１２には、バッテリーパック１３の４つの側面をガイドするバッテリーガイド部１４が形成されている。このバッテリーガイド部１４はバッテリーパック１３の外形にほぼ相当する形状に形成されている。
【００２８】
バッテリー収納部１２の底部（図２の左側）には、弾性部材として、例えば台形コイルバネであるようなバッテリー押えバネ１５が、その一端をバッテリガイド部１４に設けられたリブ１６に挟持された状態で取り付けられている。このバネ１５は、バッテリーカバー４が閉じているときにバッテリーカバー４と協働してバッテリーパック１３を固定し、また、バッテリーカバー４が開いたときにバッテリーパック１３をポップアップさせる役目を果たす。なお、バッテリーパック１３の上面（又は他の適当な位置）には起電力を導出するための端子１７，１８が設けられ、バッテリーパック１３がバッテリー収納部１２の定位置に収容されたときに本体側の端子と電気的に結合される。
【００２９】
さらに、バッテリー収納部１２には、バッテリーパック１３を収納した時にバッテリーパック１３を保持するためのバッテリー内部ロック部材２３が設けられている。バッテリー内部ロック部材２３は、ポリアセタール等の樹脂の弾性材料製であり、バッテリー収納部１２の側壁（バッテリーガイド部１４）側にハンディターミナル本体ケース内部のリブ２４に挟み込まれる形で保持されている。バッテリー内部ロック部材２３は、後述のようにバッテリーカバー４及びバッテリーパック１３の収容動作と連動する。
【００３０】
バッテリー内部ロック部材２３の先端部２５には、図３に示すように、係合部２６が設けられ、この係合部２６は、後述のようにロック爪２０と係止されるような、例えばスリット状の形状を有している。
【００３１】
バッテリー内部ロック部材２３は、バネ用の金属鋼帯等から成形されてもよく、バッテリーガイド部１４の一部として一体成形されてもよい。
【００３２】
図４は、図２おけるバッテリーカバーの概略構造を示す図である。
【００３３】
図４において、バッテリーカバー４には、バッテリーカバー操作ノブ５が、ネジ１９によりクリック感を出すためのプレート２１を挟み込むようにフック状のロック爪２０と固定されている。これにより、バッテリーカバー操作ノブ５の回動動作と連動して、ロック爪２０も回動可能となっている。さらに、バッテリーカバー４には、バッテリーカバー４をハンディターミナル本体１へ閉じるときに、バッテリーパック１３をバッテリー収容部１２内へ押し込むように操作するためのリブ２２が設けられている（図６）。
【００３４】
次に、バッテリーカバー４の開閉動作を説明する。
【００３５】
図１において、操作ノブ５を操作ノブ５の端部２８がバッテリーカバー４のストッパー部２９に接触するまで矢印２７方向に回動すると、図４に示すように、ネジ１９で操作ノブ５に固定されたロック爪２０も同時に回動して、バッテリー内部ロック部材２３との係合部２６が外れることにより、ハンディターミナル本体１に対するバッテリー内部ロック部材２３のロックが解除される。
【００３６】
バッテリーカバー４は、ハンディターミナル本体１にヒンジ３０により回動自在に支持されており、バッテリーカバー４をヒンジ３０を中心に矢印３１方向へ回動することにより、図５に示すように、バッテリーカバー４が開く。
【００３７】
次に、バッテリーパック１３をハンディターミナル本体１へ装着する動作を図５〜図８を参照して説明する。
【００３８】
図５に示すように、バッテリーパック１３をハンディターミナル本体１から取り外した状態から、図６に示すように、矢印３２方向ヘバッテリーパック１３をバッテリー収納部１１へ挿入していくと、バッテリー内部ロック部材２３の先端部２５がバッテリーパック１３に押されることにより、バッテリー内部ロック部材２３が自身の弾性により後退するように変形し、バッテリーパック１３の移動スペースが確保される（図６の状態）。この状態では、バッテリーパック１３はバッテリー収納部１２内の定位置に完全に収容されておらず、バッテリー内部ロック部材２３もバッテリーパック１３の端部に係止されていない。
【００３９】
バッテリーパック１３を、図６の状態からさらに矢印３２方向にハンディターミナル本体１内部へ押し込むと、バッテリーパック１３が完全にバッテリー内部ロック部材２３を乗り越える。そして、バッテリー内部ロック部材２３は、自身の弾性により、初期位置（図３の状態）に復帰し、バッテリーパック１３に引っ掛かる。  
【００４０】
以上のようにして、バッテリーパック１３がバネ１５の弾性力によりハンディターミナル本体１のバッテリー収納部１２内の定位置に保持される。
【００４１】
次いで、図７に示すように、ヒンジ３０を中心にバッテリーカバー４を矢印３１ａ方向に回動して閉じ、さらに、バッテリーカバー４に具備された操作ノブ５を反時計回り（矢印２７と逆回り）に回転すると、操作ノブ５と連動しているロック爪２０も同時に矢印３３方向に回転して、バッテリー内部ロック２３の係合部２６と係合する（図８）。これにより、バッテリーパック１３がハンディターミナル本体１へ完全に保持される。
【００４２】
また、適当に操作を行なっても、バッテリーカバー４の閉成操作によりリブ２２がバッテリーパック１３をバッテリー収容部１２の内部へ押し込むのと、ロック爪２０の回動操作に連動してバッテリー内部ロック部材２３がバッテリーパック１３に係止され、バッテリーパック１３がロックされて定位置に保持されるので、バッテリー内部ロック部材２３の操作を忘れることによりロック部材２３が無理な位置に収納されて変形したり破損することがなく、ロック爪２０の係止具合で容易に誤操作に気付くことができる。
【００４３】
なお、本実施の形態では、ロック機構として回動式のものを示したが、バッテリー内部ロック部材の変形を抑止するようにバッテリー内部ロック部材の一部とロック爪が係合する構成であるならば、その他のロック機構でバッテリー内部ロック部材２３の変形を抑制するようにロック部材の一部分とロック爪が係合する構成であってもよい。
【００４４】
また、本実施の形態では、バッテリーロック部材の係合部の形状がスリット状以外にもバッテリーカバーの施錠手段と係合する形状であるならば他の形状であってもよい。
【００４５】
次に、本発明のバッテリーカバーの防滴構造に関して説明する。
【００４６】
図４に示すように、外部からの水滴等の侵入を防ぐためにネジ１９とバッテリーカバー４との間にＯ−リング３４を嵌め込んでシールする。これにより、ロック機構部も容易に水滴等の浸入を防ぐことができる。また、カバー外周部のシール手段として、図５に示すように、例えばＯ−リングであるカバーパッキン３５をバッテリーカバー４の周囲に嵌め込む。そして、バッテリーカバー４を閉じるときに、電子機器本体とカバーパッキン３５が狭持圧接される。これにより、カバーパッキン３５を押さえつける方向をバッテリーカバー４がバッテリーパック１３を押さえつける方向と直交する方向（ラジアル方向）となるようにでき、振動、落下等でバッテリーカバー４が浮いてシール性を損なうといったことを防ぐことができる。
【００４７】
また、回動式のバッテリーカバーのロック機構であればロック爪等の内部の機構部をカバーパッキン３５を嵌めるためのリブ高さの範囲で構成でき、ハンディターミナルの筐体の外部でロックするロック機構に比べバッテリーカバーの突起量を防ぐことができ、シール性能を高めつつバッテリー収容部１２を小型化することができる。
【００４８】
本実施の形態では、電子機器としてハンディターミナルの場合を例示したが、本発明は着脱可能なバッテリーを電源として用いるデジタルカメラ、デジタルビデオカメラ、ノート型パーソナルコンピュータ、ＰＤＡ、モバイルプリンタ、その他の任意の電子機器に実施できるのは言うまでもない。
【図面の簡単な説明】
【００４９】
【図１】発明の実施の形態に係る電子機器の外観を示す斜視図である。
【図２】図１におけるバッテリー収容部の部分断面図であり、バッテリーカバーが開いた場合を示す。
【図３】図２におけるバッテリー内部ロック部材の斜視図である。
【図４】図２おけるバッテリーカバーの概略構造を示す図である。
【図５】図１におけるバッテリー収容部の部分断面図であり、バッテリーパックが取り出された場合を示す。
【図６】図１におけるバッテリー収容部の部分断面図であり、バッテリーパックが装着中の場合を示す。
【図７】図１におけるバッテリー収容部の部分断面図であり、バッテリーパックが装着された場合を示す。
【図８】図１におけるバッテリー収容部の部分断面図であり、バッテリーパックが装着され且つバッテリーカバーが閉じた場合を示す。
【符号の説明】
【００５０】
１  ハンディターミナル本体
４  バッテリーカバー
５  操作ノブ
１０  プリンタカバー
１２  バッテリー収容部
１３  バッテリー
１４  バッテリーガイド部
２０  ロック爪
２３  バッテリー内部ロック部材
２５  先端部
２６  係合部
３０  ヒンジ
３４  Ｏ−リング
３５  カバーパッキン
【図１】
2005174558.tif 000003
【図２】
2005174558.tif 000004
【図３】
2005174558.tif 000005
【図４】
2005174558.tif 000006
【図５】
2005174558.tif 000007
【図６】
2005174558.tif 000008
【図７】
2005174558.tif 000009
【図８】
2005174558.tif 000010